(57)【要約】      （修正有）【課題】  取得する像データの精度を向上させる光学系が配置された電子カメラを提供すること。【解決手段】  撮影レンズを通過した光束から像データを取得する第１撮像手段と、第１撮像手段の撮像光路上に配置された光路分割手段と、一次結像面形成手段と複数の反射部材とを有し光路分割手段により分割された光路上に配置されているファインダ光学系と、一次結像面に形成された像データを取得する第２撮像手段と、一次結像面に形成された像を第２撮像手段上に再結像させる再結像光学系と、一次結像面に形成された像の明るさを検出する測光手段と、一次結像面に形成された像から発した光束を測光手段へ導く測光光学系と、第１撮像手段及び第２撮像手段で取得された像データを表示する像データ表示手段とを備え、    ０．５  ≦  ＥＰＦＭ／ＥＰＡＥ  ≦１．７                      ・・・（１）を満足するように構成する。【選択図】  図１
2007193214.tif 000002
【特許請求の範囲】
【請求項１】
撮影レンズを通過した被写体光束から被写体像データを取得する第１撮像手段と、
前記第１撮像手段の撮像光路上に配置され前記被写体光束の光路を分割し得る光路分割手段と、
被写体像の一次結像面形成手段と複数の反射部材とを有し前記光路分割手段により分割された光路上に配置されているファインダ光学系と、
前記一次結像面に形成された被写体像データを取得する第２撮像手段と、
前記一次結像面に形成された被写体像を前記第２撮像手段上に再結像させる再結像光学系と、
前記一次結像面に形成された被写体像の明るさを検出する測光手段と、
前記一次結像面に形成された被写体像から発した光束を前記測光手段へ導く測光光学系と、
前記第１撮像手段及び前記第２撮像手段の少なくとも一方で取得された被写体像データを表示可能な像データ表示手段と、
を備え、
以下の条件式（１）を満足することを特徴とするカメラ。
０．５  ≦  ＥＰＦＭ／ＥＰＡＥ  ≦１．７                      ・・・（１）
ただし、
ＥＰＦＭ：一次結像面から再結像光学系の入射瞳までの距離
ＥＰＡＥ：一次結像面から測光光学系の入射瞳までの距離
である。
【請求項２】
撮影レンズを通過した被写体光束から被写体像データを取得する第１撮像手段と、
前記第１撮像手段の撮像光路上に配置され前記被写体光束の光路を分割し得る光路分割手段と、
被写体像の一次結像面形成手段と複数の反射部材とを有し前記光路分割手段により分割された光路上に配置されているファインダ光学系と、
前記一次結像面に形成された被写体像データを取得する第２撮像手段と、
前記一次結像面に形成された被写体像を前記第２撮像手段上に再結像させる再結像光学系と、
前記一次結像面に形成された被写体像の明るさを検出する測光手段と、
前記一次結像面に形成された被写体像から発した光束を前記測光手段へ導く測光光学系と、
前記第１撮像手段及び前記第２撮像手段の少なくとも一方で取得された被写体像データを表示可能な像データ表示手段と、
を備え、
前記測光手段を前記ファインダ光学系の光路上で前記一次結像面から近軸距離で最も遠い反射部材の近傍に配置し、
以下の条件式（２）を満足することを特徴とするカメラ。
｜ＥＰＡＥ−ＭＳＬ｜  ≦  ２０                                ・・・（２）
ただし、
ＥＰＡＥ：一次結像面から測光光学系の入射瞳までの距離
ＭＳＬ  ：一次結像面から近軸距離で最も遠い反射部材の反射面までの距離
である。
【請求項３】
以下の条件式（１）を満足することを特徴とする請求項２に記載のカメラ。
０．５  ≦  ＥＰＦＭ／ＥＰＡＥ  ≦１．７                    ・・・（１）
ただし、
ＥＰＦＭ：一次結像面から再結像光学系の入射瞳までの距離
である。
【発明の詳細な説明】
【技術分野】
【０００１】
本発明は、入射した被写体光束を分割又は屈曲し、複数の撮像手段へ導く光学系を備えた電子スチルカメラに関する。
【背景技術】
【０００２】
従来、クイックリターンミラー、ハーフミラー、プリズム等の光学系を用いて、撮影レンズ系から入射した被写体光束を分割又は屈曲し、複数の撮像手段に導く電子スチルカメラ（以下、電子カメラという）が知られている。
【０００３】
このような電子カメラの先行例として、特許文献１に記載されている電子カメラのように、撮影レンズ（撮影光学系８１）から入射した被写体光束が、クイックリターンミラー（第１ミラー１６）により切り換えられ、静止画像撮影用の撮像手段（第１の撮像手段３０）と動画撮影用の撮像手段（第２撮像手段５５）の何れか一方に選択的に導かれるように構成されたものがある。
【０００４】
また、特許文献２に記載されている電子カメラのように、不図示の撮影レンズから入射した被写体光束が、ハーフミラー（半透鏡１１等）により分割され、静止画撮影専用の撮像手段（フィルムＦ）と静止画及び動画撮影用の撮像手段（撮像面２７を有する撮像素子）とに同時に導かれるように構成されたものがある。
【特許文献１】特開平９−５８６６号公報
【特許文献２】特開２０００−１６５７３０号公報
【発明の開示】
【発明が解決しようとする課題】
【０００５】
しかしながら、特許文献１や特許文献２に記載された電子カメラは、撮影レンズ系から入射した被写体光束が、二つの撮像手段のうち、特に被写体光束の光路上において撮影レンズからより離れている方の撮像手段へ導かれるまでに光線のケラレが生じやすくなるなど、取得する被写体像データの精度が下がってしまうという問題があった。
【０００６】
本発明はこのような問題点に鑑みてなされたものであり、撮影レンズからより離れている方の撮像手段における被写体像データの精度を向上させる光学系が配置された電子カメラを提供することである。
【課題を解決するための手段】
【０００７】
上記の目的を達成するために、本願の第１の発明による電子カメラは、撮影レンズを通過した被写体光束から被写体像データを取得する第１撮像手段と、前記第１撮像手段の撮像光路上に配置され前記被写体光束の光路を変更し得る光路分割手段と、被写体像の一次結像面形成手段と複数の反射部材とを有し前記光路分割手段により変更された光路上に配置されているファインダ光学系と、前記一次結像面に形成された被写体像データを取得する第２撮像手段と、前記一次結像面に形成された被写体像を前記第２撮像手段上に再結像させる再結像光学系と、前記一次結像面に形成された被写体像の明るさを検出する測光手段と、前記一次結像面に形成された被写体像から発した光束を前記測光手段へ導く測光光学系と、前記第１撮像手段及び前記第２撮像手段の少なくとも一方で取得された被写体像データを表示可能な像データ表示手段と、を備え、以下の条件式（１）を満足するように構成する。
０．５  ≦  ＥＰＦＭ／ＥＰＡＥ  ≦１．７                        ・・・（１）
ただし、
ＥＰＦＭ：一次結像面から再結像光学系の入射瞳までの距離
ＥＰＡＥ：一次結像面から測光光学系の入射瞳までの距離
である。
【０００８】
また、上記の目的を達成するために、本願の第２の発明による電子カメラは、撮影レンズを通過した被写体光束から被写体像データを取得する第１撮像手段と、前記第１撮像手段の撮像光路上に配置され前記被写体光束の光路を変更し得る光路分割手段と、被写体像の一次結像面形成手段と複数の反射部材とを有し前記光路分割手段により変更された光路上に配置されているファインダ光学系と、前記一次結像面に形成された被写体像データを取得する第２撮像手段と、前記一次結像面に形成された被写体像を前記第２撮像手段上に再結像させる再結像光学系と、前記一次結像面に形成された被写体像の明るさを検出する測光手段と、前記一次結像面に形成された被写体像から発した光束を前記測光手段へ導く測光光学系と、前記第１撮像手段及び前記第２撮像手段の少なくとも一方で取得された被写体像データを表示可能な像データ表示手段と、を備え、前記測光手段を前記ファインダ光学系の光路上で前記一次結像面から近軸距離で最も遠い反射部材の近傍に配置し、以下の条件式（２）を満足するように構成する。
｜ＥＰＡＥ−ＭＳＬ｜  ≦  ２０                                ・・・（２）
ただし、
ＥＰＡＥ：一次結像面から測光光学系の入射瞳までの距離
ＭＳＬ  ：一次結像面から近軸距離で最も遠い反射部材の反射面までの距離
である。
なお、このとき以下の条件式（１）を満足するとより好ましい。
０．５  ≦  ＥＰＦＭ／ＥＰＡＥ  ≦１．７                    ・・・（１）
ただし、
ＥＰＦＭ：一次結像面から再結像光学系の入射瞳までの距離
である。
【発明の効果】
【０００９】
本願の第１の発明によれば、電子カメラは条件式（１）を満足する構成となっているため、ファインダ光学系から分光又は屈曲された被写体光束のケラレが生じにくい。また、被写体光束から第２撮像手段により取得された被写体像データや測光手段により取得された測光データにおいて、画面周辺部が暗くなる、測光データの精度が落ちるといった問題も生じにくい。
【００１０】
本願の第２の発明によれば、測光手段をファインダ光学系の光路上において一次結像面から近軸距離で最も遠い反射部材の近傍に配置しているため、つまり、測光光学系の瞳の位置を一次結像面から遠ざけて配置しているため、測光手段が取得する測光データの画面周辺部に光線ケラレを生じにくい。また、測光手段を反射部材の近傍であって、反射部材やファインダ光学系や再結像光学系を通過する被写体光束に干渉しない位置に配置しているため、測光手段へ被写体光束を分光又は屈曲させるためのハーフミラー等の半透過部材を配置する必要がなく、ファインダ光学系や第２撮像手段においても十分な明るさを得やすい。さらに、条件式（２）を満足する構成となっているため、画面周辺部における被写体光束のケラレが生じにくく、また、光学系全体をコンパクトにまとめることができる。
【００１１】
なお、本願の第２の発明であっても、条件式（１）を満足する構成とすることにより、ファインダ光学系から分光又は屈曲された被写体光束のケラレが生じにくくなり、また、被写体光束から第２撮像手段により取得された被写体像データや測光手段により取得された測光データにおいて、画面周辺部が暗くなる、測光データの精度が落ちるといった問題も生じにくくなって、より好ましいものとすることが可能になる。
【発明を実施するための最良の形態】
【００１２】
本発明の実施の形態を、図示した各実施例によって説明する。
【実施例１】
【００１３】
図１は、本実施例に係る電子カメラの光学部材の配置構成を示す概略構成図である。図２は、本実施例に係る接眼レンズ系の構成を示す光軸に沿う断面図である。図３は、本実施例に係る第２撮像手段用の再結像光学系の構成を示す光軸に沿う断面図である。図４は、本実施例に係る測光光学系の構成を示す光軸に沿う断面図である。
【００１４】
本実施例の電子カメラは、図１に示すように、撮影レンズ系１、ハーフミラー２、第１撮像手段３、一次結像面形成手段であるスクリーンマット４、第１反射部材であるミラー５1、第２反射部材であるミラー５2、第３反射部材であるハーフミラー５3、接眼レンズ系６、再結像光学系７、第２撮像手段８、測光光学系９、測光手段１０、像データ表示手段（不図示）で構成されており、ファインダ光学系はそれらのうちのスクリーンマット４、ミラー５1、５2、ハーフミラー５3、接眼レンズ系６で構成されている。なお、Ｅは観察者の眼球位置（アイポイント）を示している。
【００１５】
本実施例では、撮影レンズ系１から入射した被写体光束Ｌは、光路分割手段であるハーフミラー２を透過してＣＣＤ等の撮像素子又は銀塩フィルム等の感光記録媒体からなる第１撮像手段３へ導かれる。そして、被写体光束Ｌがハーフミラー２を透過する際、被写体光束Ｌから被写体光束Ｌ’が分光されファインダ光学系へ導かれる。
【００１６】
本実施例のファインダ光学系では、スクリーンマット４に形成される一次結像面における有効光線高ＯＢＪＨと、一次結像面からファインダ光学系の入射瞳までの距離ＥＰＦＬが、以下の条件式（３）を満足するように構成されている。
｜ｔａｎ-1（ＯＢＪＨ／ＥＰＡＥ）−ｔａｎ-1（ＯＢＪＨ／ＥＰＦＬ）｜  ≦  ２０
・・・（３）
ここで、ファインダ光学系の入射瞳は、アイポイントＥから求められたものである。ただし、アイポイントＥはファインダ光学系の最終面から観察者側に０〜５０ｍｍの範囲で任意の値とする。
【００１７】
このため、本実施例のファインダ光学系により分光又は屈曲される被写体光束にはケラレが生じにくい。
【００１８】
また、本実施例のファインダ光学系では、図１に示すように、スクリーンマット４の像側に、一次結像面側から順に、表示用手段１１1、合焦用表示用手段１１2が近接して配置されている。
【００１９】
ここで、表示用手段１１1とは、シャッタースピードやＦナンバー、撮影可能残枚数等の情報を使用者の観察する被写体像の端や外部に表示する機能を有するものである。また、合焦表示用手段１１2とは、複数の合焦設定点（多点測距）の内、ピントを合わせようとする位置やピントの合っている位置を表示するものであり、その機能上、使用者の観察する被写体像に重なった状態のマーク等を表示する機能を有するものである。本実施例の電子カメラは、これらを備えているため、使用者が、スクリーンマット４上に形成された被写体像と同時に、表示用手段１１1により表示される光学情報及び合焦表示用手段１１2により表示される合焦箇所を、接眼レンズ系６から直接、又は第２撮像手段８を介して表示される液晶表示装置等の像データ表示手段から確認することができる。
【００２０】
また、本実施例のファインダ光学系は、図１に示すように、表示用手段１１1の像側に、一次結像面側から順に、第１反射部材であるミラー５1、第２反射部材であるミラー５2、透光特性を有する第３反射部材であるハーフミラー５3といった複数の反射部材を備えている。
【００２１】
これらの反射部材は、撮影レンズ系１によって反転されている被写体像をハーフミラー２と共に正立像となるようにしている。また、反射部材のうち、第３反射部材を透光特性を有するハーフミラー５3としたため、ファインダ光学系と第２撮像手段との配置構成をコンパクトにまとめることができる。
【００２２】
本実施例では、第２撮像手段８はＣＣＤ等の撮像素子からなり、被写体光束Ｌから分光された被写体光束Ｌ’が、ハーフミラー５3と複数のレンズからなる再結像光学系７とを透過して導かれるようになっている。そして、本実施例の電子カメラの場合には、第２撮像手段８を介して得られた被写体像データは、上記の不図示の像データ表示用手段によって観察することが可能になっている。なお、ハーフミラー５3で分光され反射された被写体光束Ｌ”は接眼レンズ系へ導かれる。
【００２３】
また、本実施例では、第２撮像手段８に、第１撮像手段３に用いる撮像素子の有効範囲よりも、有効範囲が小さい撮像素子が用いられている。
【００２４】
このため、被写体像データの取得に必要とされる光束を小さくすることができ、カメラの小型化を可能にしている。また、小型の撮像素子を用いれば電力消費を抑えることもでき有利である。さらに、再結像光学系７の倍率を等倍未満に設定することも可能となるため、レンズの主点を第２撮像手段８に近づけることができ、ファインダ光学系や測光光学系９以外の独立した光学素子を配置しやすい構成になっている。なお、有効範囲を小さくするために、撮像素子を高密度化したり、低解像度の撮像素子を用いるようにしても良い。
【００２５】
また、本実施例では、第２撮像手段８の撮像素子が、その有効範囲よりも狭い範囲で被写体像データを取得し、その後、像データ表示手段がその撮像素子によって取得された被写体像データを切り出して表示するように構成している。
【００２６】
このように、本実施例の電子カメラでは、一次結像面に形成された被写体像データを第２撮像手段の撮像素子の有効範囲よりも狭い範囲で取得し、さらに、その被写体像データから切り出しを行って像データ表示手段に表示するように構成しているため、レンズ倍率、光軸ズレ、第２撮像手段の取付精度などの許容量が従来のものよりも大きくなっている。
【００２７】
また、本実施例では、第２撮像手段８の撮像素子の有効範囲を、一次結像面に形成された被写体像が第２撮像手段８の撮像素子へ投影される範囲よりも広く構成している。
【００２８】
このように、第２撮像手段８の撮像素子の有効範囲を広く構成することにより、本実施例の電子カメラは、レンズ倍率、光軸ズレ、第２撮像手段の取付精度などの許容量が従来のものよりも大きくなっている。なお、具体的には、第２撮像手段の撮像素子の有効範囲が、一次結像面に形成された被写体像が第２撮像手段８の撮像素子へ投影される範囲と比較して、長辺方向及び短辺方向において、それぞれ１．１倍から２．５倍程度であることが望ましい。
【００２９】
また、本実施例では、前記第２撮像手段が被写体像データを取得した後、その被写体像データのうちの所定の数の複数の画素データを加算して１つの画素データとする処理を行う。
【００３０】
ハーフミラーを透過する等の理由から被写体光束の光量が落ちる場合シャッターを長時間開いていないと、十分な電荷を得ることができないが、このように、複数の画素の電荷を加算して１つの画素の電荷とみなす処理を行えば、被写体像データ全体の画素数は減少するが、明るいデータとして取得することができる。
【００３１】
また、本実施例では、第２撮像手段８を、一次結像面から近軸距離において最も遠い反射部材であるハーフミラー５3を透過した被写体光束Ｌ’の光路上に配置している。
【００３２】
第２撮像手段８をこのような位置に配置することにより、瞳の距離を前記一次結像面からより遠ざけることができ、さらに、一次結像面に形成された被写体像から測光光学系９の入射瞳までの距離ＥＰＡＥと第２撮像手段８の撮像素子までの距離をほぼ等しくすることができる。このため、画面周辺部に光線のケラレが生じにくくなり、また更にコンパクトに配置することが可能となる。
【００３３】
ファインダ光学系に備えられている反射部材のうち、一次結像面から近軸距離で最も遠い反射部材をハーフミラー等の透光特性を有する部材とした事により、複雑な機構等がなくても、ファインダ光学系から第２撮像素子８に導かれるように被写体光束を分離することが可能となっている。また、被写体光束Ｌは撮影レンズ系１により反転しているが、光路分割手段２の反射面とファインダ光学系の有する３つの反射部材の反射面、つまり４つの反射面を介することにより、正立像とすることができる。なお、第２撮像手段８へ導かれる被写体光束Ｌ’は、光路分割手段２の反射面とファインダ光学系の有する反射部材のうちの２つ反射部材の反射面、つまり３つの反射面を介するのみであるため、反転した状態のままであるが、第２撮像手段８からの出力情報を像データ表示手段に表示する際に、他の画像処理とともに反転させ正立像としている。
【００３４】
本実施例では、測光手段１０はＣＣＤ等の撮像素子からなり、スクリーンマット４により被写体光束Ｌ’から分光された被写体光束Ｌ”’が、複数の反射部材により屈曲され、複数のレンズからなる測光光学系９を透過して導かれるようになっている。
【００３５】
次に、本実施例に係る各光学系を構成するレンズの構成及び数値データを示す。
なお、以下のレンズの数値データにおいては、ｒは各レンズ面の曲率半径、ｄは各レンズの肉厚または間隔、Ｎｄは各レンズのｄ線における屈折率、Ｖｄは各レンズのｄ線におけるアッベ数、ｋは円錐係数、Ａ4，Ａ6，Ａ8，Ａ10は非球面係数をそれぞれ示している。
また、各非球面形状は、各実施例における各非球面係数を用いて以下の式で表される。但し、光軸方向の座標をＺ、光軸と垂直な方向の座標をＹとする。
Ｚ＝（Ｙ2／ｒ）／［１＋｛１−（１＋ｋ）・（Ｙ／ｒ）2｝1/2］
＋Ａ4Ｙ4＋Ａ6Ｙ6＋Ａ8Ｙ8＋Ａ10Ｙ10
【００３６】
まず、ファインダ光学系に備えられている接眼レンズ系６について説明する。本実施例では、接眼レンズ系６を、図２に示すように、一次結像面側から順に、一次結像面側に凸面を向けた正メニスカスレンズ６1、一次結像面側の面が非球面である両凸正レンズ６2、両凹負レンズ６3により構成している。また、ＦＬＬｃはファインダ光学系の光軸、ＦＣはカバーガラスとして機能する平行平板、ＩＭ1はスクリーンマット４上の一次結像面、Ｅはアイポイントである。なお、両凸正レンズ６2は、視度調整のために光軸ＦＬＬｃ上を所定量移動可能な構成としている。
【００３７】
次に、接眼レンズ系６を構成するレンズの数値データを示す。
本実施例の接眼レンズ系において、焦点距離ｆ＝５４．６１ｍｍ、Ｆナンバー＝３．９４である。なお、視度調整範囲は、＋１．５ディオプタ〜−３．５ディオプタである。
【００３８】
面                         ｒ            ｄ          Ｎｄ        Ｖｄ
0    （一次結像面）       ∞           80.35
1                        19.333         7.10       1.51633      64.14
2                        71.354        Ｄ１
3      （非球面）        18.149         5.61       1.52542      55.78
4                      -264.728        Ｄ２
5                       -88.178         1.80       1.58423      30.49
6                        12.438         4.41
7                         ∞            1.20       1.51633      64.14
8                         ∞           16.67
9   （アイポイント）      ∞
【００３９】
非球面係数
面       ｒ           ｋ 
3     18.1494       0.0000
Ａ2            Ａ4            Ａ6            Ａ8 
0.0000×100    -2.1895×10-5   -6.7082×10-8   -4.9542×10-10 
Ａ10
0.0000×100 
【００４０】
視度調整量
視度（１／ｍ）         1.5           -1          -3.5
Ｄ１              3.83          4.72        5.81
Ｄ２              3.11          2.23        1.13
【００４１】
次に、再結像光学系７について説明する。本実施例では、再結像光学系７を、図３に示すように、一次結像面側から順に、両凸正レンズ７1と第２撮像手段８側に凸面を向けた負メニスカスレンズ７2との接合レンズ、絞りＳ、一次結像面側に凸面を向けており第２撮像手段８側の面が非球面である負メニスカスレンズ７3、一次結像面側に凸面を向けており一次結像面側の面が非球面である正メニスカスレンズ７4により構成している。なお、ＦＭＬｃは再結像光学系の光軸、ＩＦは赤外カットフィルタ、ＣＧはカバーガラス、ＩＭ1はスクリーンマット４上の一次結像面、ＩＭ2は第２撮像手段８の撮像素子の撮像面である。
【００４２】
次に、再結像光学系７を構成するレンズの数値データを示す。
本実施例の再結像光学系７において、焦点距離ｆ＝１０．５８ｍｍ、Ｆナンバー＝２．７７である。
【００４３】
面                         ｒ            ｄ          Ｎｄ        Ｖｄ
0    （一次結像面）       ∞           67.00
1                         7.801         3.18       1.51633      64.14
2                        -3.320         0.70       1.54814      45.79
3                       -28.993         0.03
4       （絞り）          ∞            5.47
5                         3.4874        1.00       1.58423      30.49
6      （非球面）         2.3412        1.16
7      （非球面）         2.8290        1.68       1.52542      55.78
8                         4.6362        1.78
9                         ∞            0.75       1.51633      64.14
10                         ∞            0.50
11                         ∞            0.50       1.51633      64.14
12                         ∞            0.37
13      （結像面）         ∞
【００４４】
非球面係数
面       ｒ           ｋ 
6     2.3412       -0.5159
Ａ2            Ａ4            Ａ6            Ａ8 
0.0000×100    -4.0713×10-4    1.3256×10-3   -4.2298×10-4 
Ａ10
7.4181×10-5
面       ｒ           ｋ 
7     2.8290       -0.7874
Ａ2            Ａ4            Ａ6            Ａ8 
0.0000×100    -8.2674×10-4    4.5775×10-4   -4.6031×10-5 
Ａ10
4.3502×10-6
【００４５】
次に、測光光学系９について説明する。本実施例では、測光光学系９を、図４に示すように、一次結像面側から順に、絞りＳ、両面が非球面である両凸正レンズ９1により構成している。なお、ＩＭ1ｃは一次結像面中心に垂直な軸、Ｓｃは絞り中心に垂直な軸、Ｌｃはレンズｒ2の頂点とｒ3の頂点を結んだ軸、ＩＭ3ｃは撮像面中心に垂直な軸、ＩＦは赤外カットフィルタ、ＣＧはカバーガラス、ＩＭ1はスクリーンマット４上の一次結像面、ＩＭ3は測光手段１０の撮像素子の撮像面である。
【００４６】
次に、測光光学系９を構成するレンズの数値データを示す。
本実施例の測光光学系９において、焦点距離ｆ＝７．９６ｍｍ、Ｆナンバー＝０．８８である。
【００４７】
面                         ｒ            ｄ          Ｎｄ        Ｖｄ
0    （一次結像面）       ∞           59.90
1  （絞り・軸シフト）     ∞            0
2 （非球面・軸シフト）    6.1936        6.50       1.58423      30.49
3      （非球面）       -11.4581        4.34
4     （軸シフト）        ∞            0.40       1.54000      55.00
5                         ∞            1.13
6                         ∞            0.57       1.52000      55.00
7                         ∞            0.00
8      （結像面）         ∞
【００４８】
非球面係数
面       ｒ           ｋ 
2   6.1936       -0.2847
Ａ2            Ａ4            Ａ6            Ａ8 
0.0000×100    -3.3463×10-4   -9.3880×10-6    2.0654×10-7 
Ａ10
-1.2826×10-8
面       ｒ           ｋ 
3  -11.4581     -92.5760
Ａ2            Ａ4            Ａ6            Ａ8 
0.0000×100    -2.9196×10-3    2.6092×10-4   -1.2751×10-5 
Ａ10
2.3198×10-7
【００４９】
軸シフト（ｍｍ）
面     （ＤＥＣＹ）
1         5.736
2         0.200
4         0.887
【００５０】
次に、本実施例の電子カメラにおける上記各条件式に係るデータを示す。なお、アイポイントＥはファインダ光学系の最終面から観察者側に２２．３ｍｍの位置としている。
【００５１】
視度                  ：  +1.5    -1.0    -3.5
ＥＰＦＭ                ：  70.11   70.11   70.11
ＥＰＡＥ                ：  59.66   59.66   59.66
ＭＳＬ                 ：  61.83   61.83   61.83
ＯＢＪＨ                ：  12.26   12.26   12.26
ＥＰＦＬ                ：5645.38  714.28  385.86
ｔａｎ-1（ＯＢＪＨ／ＥＰＡＥ）     ：  11.61   11.61   11.61
ｔａｎ-1（ＯＢＪＨ／ＥＰＦＬ）     ：   0.12    0.98    1.82
条件式（１）：       ＥＰＦＭ／ＥＰＡＥ           ：   1.175   1.175   1.175
条件式（２）：      ｜ＥＰＡＥ−ＭＳＬ｜          ：   2.17    2.17    2.17 
条件式（３）： |tan-1(OBJH/EPAE)-tan-1(OBJH/EPFL)|：  11.484  10.625   9.789
【実施例２】
【００５２】
本実施例は、実施例１における再結像光学系７の具体的なレンズ構成のみが異なっており、各部材の配置等は実施例１と同様の構成となっている。そこで、それらの同様の構成については説明を省略し、図５を用いて再結像光学系の具体的な構成についてのみ説明する。
【００５３】
本実施例では、再結像光学系７’を、図５に示すように、一次結像面側から順に、一次結像面側に凸面を向けた正メニスカスレンズ７1’、正メニスカスレンズ７1’の像側の面に一体的に形成されている絞りＳ、両凹負レンズ７2’、両凸正レンズ７3’により構成している。なお、ＦＭＬｃは再結像光学系の光軸、ＩＦは赤外カットフィルタ、ＣＧはカバーガラス、ＩＭ1はスクリーンマット４上の一次結像面、ＩＭ2は第２撮像手段８の撮像素子の撮像面である。
【００５４】
次に、再結像光学系７’を構成するレンズの数値データを示す。
本実施例の再結像光学系７’において、焦点距離ｆ＝１０．４２ｍｍ、Ｆナンバー＝２．８５である。
【００５５】
面                         ｒ            ｄ          Ｎｄ        Ｖｄ
0    （一次結像面）       ∞           63.00
1                         6.1409        2.00       1.72916      54.68
2       （絞り）        139.8827        0.54
3                       -17.8971        1.80       1.59270      35.31
4                         4.2153        0.50
5                         6.9968        5.88       1.72916      54.68
6                       -10.8500        5.00
7                         ∞            0.75       1.51633      64.14
8                         ∞            0.50
9                         ∞            0.50       1.51633      64.14
10                         ∞            0.74
11      （結像面）         ∞
【００５６】
次に、本実施例の電子カメラにおける上記各条件式に係るデータを示す。なお、アイポイントＥはファインダ光学系の最終面から観察者側に２２．３ｍｍの位置としている。
【００５７】
視度                  ：  +1.5    -1.0    -3.5
ＥＰＦＭ                ：  64.34   64.34   64.34 
ＥＰＡＥ                ：  59.66   59.66   59.66 
ＭＳＬ                 ：  61.83   61.83   61.83 
ＯＢＪＨ                ：  12.26   12.26   12.26 
ＥＰＦＬ                ：5645.38  714.28  385.86 
ｔａｎ-1（ＯＢＪＨ／ＥＰＡＥ）     ：  11.61   11.61   11.61 
ｔａｎ-1（ＯＢＪＨ／ＥＰＦＬ）     ：   0.12    0.98    1.82 
条件式（１）：       ＥＰＦＭ／ＥＰＡＥ           ：   1.078   1.078   1.078
条件式（２）：      ｜ＥＰＡＥ−ＭＳＬ｜          ：   2.17    2.17    2.17 
条件式（３）： |tan-1(OBJH/EPAE)-tan-1(OBJH/EPFL)|：  11.484  10.625   9.789
【実施例３】
【００５８】
本実施例は、実施例１、２における再結像光学系７の具体的なレンズ構成のみが異なっており、各部材の配置等は実施例１、２と同様の構成となっている。そこで、それらの同様の構成については説明を省略し、図６を用いて再結像光学系の具体的な構成についてのみ説明する。
【００５９】
本実施例では、再結像光学系７”を、図６に示すように、一次結像面側から順に、絞りＳ、一次結像面側に凸面を向けており一次結像面側の面が非球面である正メニスカスレンズ７1”、一次結像面側に凸面を向けており両面が非球面である正メニスカスレンズ７2”により構成している。なお、ＦＭＬｃは再結像光学系の光軸、ＩＦは赤外カットフィルタ、ＣＧはカバーガラス、ＩＭ1はスクリーンマット４上の一次結像面、ＩＭ2は第２撮像手段８の撮像素子の撮像面である。
【００６０】
次に、再結像光学系７”を構成するレンズの数値データを示す。
本実施例の再結像光学系７”において、焦点距離ｆ＝９．９６ｍｍ、Ｆナンバー＝２．８０である。
【００６１】
面                         ｒ            ｄ          Ｎｄ        Ｖｄ
0    （一次結像面）       ∞           64.00
1       （絞り）          ∞            0.50
2      （非球面）         4.082         6.00       1.52542      55.78
3                         2.927         1.00
4      （非球面）         3.137         1.20       1.52542      55.78
5      （非球面）        12.169         3.40
6                         ∞            0.75       1.51633      64.14
7                         ∞            0.50
8                         ∞            0.50       1.51633      64.14
9                         ∞            0.71
10      （結像面）         ∞
【００６２】
非球面係数
面       ｒ           ｋ 
2     4.0815       -0.3784
Ａ2            Ａ4            Ａ6            Ａ8 
0.0000×100     0.0000×100     0.0000×100     0.0000×100  
Ａ10
0.0000×100 
面       ｒ           ｋ 
4     3.1372       -0.7595
Ａ2            Ａ4            Ａ6            Ａ8 
0.0000×100     0.0000×100     0.0000×100     0.0000×100  
Ａ10
0.0000×100 
面       ｒ           ｋ 
5    12.169         8.7922
Ａ2            Ａ4            Ａ6            Ａ8 
0.0000×100     0.0000×100     0.0000×100     0.0000×100  
Ａ10
0.0000×100 
【００６３】
次に、本実施例の電子カメラにおける上記各条件式に係るデータを示す。なお、アイポイントＥはファインダ光学系の最終面から観察者側に２２．３ｍｍの位置としている。
【００６４】
視度                  ：  +1.5    -1.0    -3.5
ＥＰＦＭ                ：  64.00   64.00   64.00 
ＥＰＡＥ                ：  59.66   59.66   59.66 
ＭＳＬ                 ：  61.83   61.83   61.83 
ＯＢＪＨ                ：  12.26   12.26   12.26 
ＥＰＦＬ                ：5645.38  714.28  385.86 
ｔａｎ-1（ＯＢＪＨ／ＥＰＡＥ）     ：  11.61   11.61   11.61 
ｔａｎ-1（ＯＢＪＨ／ＥＰＦＬ）     ：   0.12    0.98    1.82 
条件式（１）：       ＥＰＦＭ／ＥＰＡＥ           ：   1.073   1.073   1.073
条件式（２）：      ｜ＥＰＡＥ−ＭＳＬ｜          ：   2.17    2.17    2.17 
条件式（３）： |tan-1(OBJH/EPAE)-tan-1(OBJH/EPFL)|：  11.484  10.625   9.789
【００６５】
なお、本発明の電子カメラは、上記各実施例のような図１に示した構成の他に、以下のように構成しても良い。
【００６６】
図７及び図８は、本発明の電子カメラの第２の構成例を示したものであって、図７は被写体観察時における光学部材の配置構成を示した概略構成図であり、図８は被写体撮影時における光学部材の配置構成を示した概略構成図である。
【００６７】
この第２の構成例における各光学部材の配置構成は、上記の図１に示された各光学部材の配置構成と多くの点で共通している。そこで以下においては相違する部分のみを詳細に説明する。
【００６８】
この第２の構成例では、クイックリターンミラー２’を光路変更手段としており、撮影レンズ系１から入射した被写体光束Ｌの光路上に軸２’ａによって回動可能な状態で配置している。被写体観察時においては、このクリックリターンミラー２’によって、被写体光束Ｌは光路が変更されファインダ光学系へ導かれる。そして、この状態で第２撮像手段を用いた撮影も可能となっている。一方、第１撮像手段を用いた撮影時においては、クイックリターンミラー２’は、不図示の駆動機構により軸２’ａを軸として図８に示す位置まで回動し被写体光束Ｌの光路上から退避し、被写体光束ＬはＣＣＤ等の撮像素子又は銀塩フィルム等の感光記録媒体からなる第１撮像手段３へ導かれる。
【００６９】
また、この第２の構成例では、ファインダ光学系は一次結像面側から順に、第１反射部材であるハーフミラー５1’と、第２反射部材であるミラー５2と、第３反射部材ハーフミラー５3の３つの反射部材により構成されている。また、表示用手段１１1’と合焦表示用手段１１2’は第１反射部材であるハーフミラー５1’の反射面とは反対側であって第１反射部材ハーフミラー５1’により反射された被写体光束Ｌの光路の延長線上に配置されている。
【００７０】
このように、ファインダ光学系の有する反射部材のうち２つの部材に透光特性を有する部材を用いることにより、第２撮像手段８、測光手段１０、表示用手段１１1’、合焦表示用手段１１2’をコンパクトに配置することが可能となる。
【００７１】
また、表示用手段１１1’と合焦表示用手段１１2’を、第１反射部材であるハーフミラー５1’の反射面とは反対側であって、ハーフミラー５1’により反射される光束Ｌの光路の延長線上に配置しているため、ファインダ光学系において一次結像面に形成された被写体像データからアイポイントＥ又は第２撮像手段８までの距離と、表示用手段１１1’、合焦表示用手段１１2’からアイポイントＥ又は第２撮像手段８までの距離をほぼ等しくなるため、その両方に同時にピントをあわせることができる。また、ハーフミラー５1’の反射面の反対側に存在するスペースを有効に利用することでき、カメラの小型化が可能となる。また、このとき、第１反射部材であるハーフミラー５1’の反射面の光量配分において反射率が以下の条件式（４）を満足するとさらに好ましい。
６０％  ≦  第１反射部材の反射面  ≦９０％                    ・・・（４）
【００７２】
また、この第２の構成例では、被写体観察時において、一次結像面形成手段であるスクリーンマット４を透過する際被写体光束Ｌから、被写体光束Ｌ’が分光される。これらの光束は、それぞれハーフミラー５3を透過し、被写体光束Ｌはさらに再結像光学系７を透過し第２撮像素子へ導かれ、被写体光束Ｌ’は測光光学系９を透過して測光手段１０へ導かれる。なお、ハーフミラー５3で分光され反射された被写体光束Ｌ”は接眼レンズ系６へ導かれる。
【００７３】
第２撮像手段８と測光手段１０は、入射瞳の位置がほぼ同位置であることから、この第２の構成例のように、一方の近傍にもう一方を配置することが好ましい。また、このような配置にすれば、第２撮像手段８と測光手段１０をコンパクトに配置することができる。さらにこのとき、第３反射部材であるハーフミラー５3の反射面の光量配分において以下の条件式（５）を満足することが望ましい。
４０％  ≦  第３反射部材の反射面  ≦７０％                    ・・・（５）
【００７４】
なお、このとき第１反射部材であるハーフミラー５1’の反射面と第３反射部材であるハーフミラー５3の反射面の光量配分において反射率が以下の条件式（４’）、（５’）を満足するとさらに好ましい。
８０％  ≦  第１反射部材の反射面  ≦９０％                    ・・・（４’）
４０％  ≦  第３反射部材の反射面  ≦６０％                    ・・・（５’）
【００７５】
また、第１反射部材であるハーフミラー５1’の反射面と第３反射部材であるハーフミラー５3の反射面の光量配分における反射率をそれぞれ上記条件式（４’）、（５’）の範囲内とすることにより、ファインダ光学系、第２撮像手段、測光手段、表示用手段、合焦表示用手段の光量バランスを適正に保つことができる。
【００７６】
なお、第２の構成例においては、再結像光学系７と第２撮像手段８との間にミラー１２を配置している。
【００７７】
このように配置することにより、コンパクトな配置が可能となる。また、撮像手段２がカメラの不図示のボディー枠に近くなるため、ボディー枠をはずすことによって撮像素子２の調整を容易に行うことが可能となっている。
【００７８】
図９及び図１０は、本発明の電子カメラの第３の構成例を示したものであって、図９は被写体観察時における光学部材の配置構成を示した概略構成図であり、図１０は被写体撮影時における光学部材の配置構成を示した概略構成図である。
【００７９】
この第３の構成例における各光学部材の配置構成も、上記の図１に示された各光学部材の配置構成と多くの点で共通している。そこで以下においては相違する部分のみを詳細に説明する。
【００８０】
この第３の構成例では、ファインダ光学系の第３反射部材を、クイックリターンミラー５3’により構成しており、光路分割手段であるハーフミラー２により被写体光束Ｌから分光された被写体光束Ｌ’の光路上に軸５3’ａによって回動可能な状態で配置している。被写体観察時においては、このクイックリターンミラー５3’は被写体光束Ｌ’を接眼レンズ系へ導いている。一方、被写体撮影時又は像データ表示手段を介した被写体観察時においては、クイックリターンミラー５3’は不図示の駆動機構により軸５3’ａを軸として図１０に示す位置まで回動し、被写体光束Ｌ’の光路上から退避するため、被写体光束Ｌ’はＣＣＤ等の撮像素子からなる第２撮像手段８へ導かれる。
【００８１】
このような構成とすることにより、ファインダ光学系及び第２撮像素子８において光量低下が生じず、観察に十分な明るさを容易に確保することが可能である。また、被写体光束Ｌは撮影レンズ系１により反転しているが、ハーフミラー２の反射面とファインダ光学系の有する３つの反射部材の反射面、つまり４つの反射面を介することにより、正立像とすることができる。なお、第２撮像手段８へ導かれる被写体光束Ｌ’は、ハーフミラー２の反射面とファインダ光学系の有する反射部材のうちの２つ反射部材の反射面、つまり３つの反射面を介するのみであるため、反転した状態のままであるが、第２撮像手段８からの出力情報を像データ表示手段に表示する際に、他の画像処理とともに反転させ正立像としている。
【００８２】
なお、この第３の実施例において、被写体撮影時又は像データ表示手段を介した被写体観察時は、表示用手段及び合焦表示用手段がＯＦＦとなるような構成としても良い。
【００８３】
また、上記した３つの構成の電子カメラにおいては、一次結像面形成手段であるスクリーンマット４に拡散機能を与えても良いし、素通し板（例えば、拡散性が無い、または少ない）を用いて透過機能を持たせても良い。
【００８４】
このように、一次結像面形成手段であるスクリーンマット４に拡散機能を与えることにより、撮影レンズのＮＡや射出瞳位置の許容量を従来よりも大きくすることができ、望ましい。
【００８５】
また、上記した３つの構成の電子カメラにおいて、さらに一次結像面形成手段であるスクリーンマット４の近傍に集光作用を持つ面又はマット面の少なくとも一方を、一次結像面と平行となるように配置しても良い。
【００８６】
集光作用を持つ面（例えばフレネルレンズ面など）を一次結像面形成手段の近傍に一次結像面と平行に配置した場合、被写体光束の収差変動を最小限に抑えることができる。また、被写体光束をコンデンサレンズによりファインダ光学系及び再結像光学系の各入射瞳に向かうよう屈折させ、ファインダ及び第２撮像手段で取得される像データの画面周辺部に光線のケラレや顕著な周辺光量低下が生じないようにすることができる。
【００８７】
マット面を一次結像面形成手段の近傍に一次結像面と平行に配置した場合、被写体光束の拡散による被写体増の劣化を最小限に抑えることができる。また、被写体光束をマット面の拡散によりファインダ光学系及び再結像光学系の各入射瞳に向かうよう屈折させ、ファインダおよび第２撮像手段で取得される像データの画面周辺部に光線のケラレや顕著な周辺光量低下が生じないようにすることができる。なお、マット面を配置する場合は、被写体から見て第１撮像手段の撮像面と光学的に等価な位置であることが望ましい。
【００８８】
また、上記した３つの構成の電子カメラにおいて、第２撮像手段８にローパスフィルタを用いなくても良い。
【００８９】
ローパスフィルタを用いないことにより、配置関係に余裕ができ、さらにはコスト削減も可能となる。このとき、必要なローパス効果は、一次結像面に拡散機能を与え共役位置からずらす、一次結像面の拡散機能にローパス効果を与える、再結像光学系の結像性能によりローパス効果を得るといった方法で得ると良い。なお、再結像光学系の結像性能によりローパス効果を得る場合、一次結像面には拡散機能を与えなくても良い。
【００９０】
また、上記した３つの構成の電子カメラにおいて、第２撮像手段の撮像素子８を測光手段１０の撮像素子と兼ねさせても良い。
【００９１】
また、上記した３つの構成の電子カメラにおいて、反射部材にはプリズムを用いても良い。
【００９２】
第２撮像手段に測光手段も兼ねさせることにより、被写体像そのもののデータと明るさ等の像の状態を表すデータを同時に取得することができる。
【００９３】
以上の本発明の電子カメラは、特許請求の範囲の記載の他に、例えば次のように構成することができる。
【００９４】
（１）  以下の条件式（３）を満足することを特徴とする請求項１乃至３のいずれか１項に記載のカメラ。
｜ｔａｎ-1（ＯＢＪＨ／ＥＰＡＥ）−ｔａｎ-1（ＯＢＪＨ／ＥＰＦＬ）｜  ≦  ２０
・・・（３）
ただし、
ＯＢＪＨ：一次結像面における有効光線高
ＥＰＦＬ：一次結像面からファインダ光学系の入射瞳までの距離
【００９５】
（２）  前記第２撮像手段に用いる撮像素子が、前記第１撮像手段に用いる撮像素子よりも小さいことを特徴とする請求項１乃至３又は（１）のいずれか１項に記載のカメラ。
【００９６】
（３）  表示用手段と合焦表示用手段とを備えていることを特徴とする請求項１乃至３、（１）又は（２）のいずれか１項に記載のカメラ。
【００９７】
（４）  前記複数の反射部材のうち、少なくとも１つは透光特性を有していることを特徴とする請求項１乃至３、又は（１）乃至（３）のいずれか１項に記載のカメラ。
【００９８】
（５）  前記ファインダ光学系は、前記一次結像面形成手段の像側に、前記一次結像面側から順に、少なくとも第１反射部材と、第２反射部材と、第３反射部材とを備え、
少なくとも前記第１反射部材と前記第３反射部材が透光特性を有していることを特徴とする（４）に記載のカメラ。
【００９９】
（６）  前記ファインダ光学系は、前記一次結像面形成手段の像側に、前記一次結像面側から順に、少なくとも第１反射部材と、第２反射部材と、第３反射部材とを備え、
少なくとも前記第１反射部材が透光特性を有していて、
前記第１反射部材の反射面とは反対側であって、前記第１反射部材により反射された光束の光路の延長線上に表示用手段と合焦表示用手段とが配置されていることを特徴とする（４）に記載のカメラ。
【０１００】
（７）  前記ファインダ光学系は、前記一次結像面形成手段の像側に、前記一次結像面側から順に、少なくとも第１反射部材と、第２反射部材と、第３反射部材とを備え、
少なくとも前記第３反射部材が透光特性を有していて、
前記第３反射部材を透過した光束の光路上に前記第２撮像手段と前記測光手段とが配置されていることを特徴とする（４）に記載のカメラ。
【０１０１】
（８）  前記ファインダ光学系は、前記一次結像面形成手段の像側に、前記一次結像面側から順に、少なくとも第１反射部材と、第２反射部材と、第３反射部材とを備え、
少なくとも前記第１反射部材と前記第３反射部材とが透光特性を有していて、
前記第１反射部材の反射面とは反対側であって、前記第１反射部材により反射された光束の光路の延長線上に表示用手段と合焦表示用手段とが配置され、
前記第３反射部材を透過した光束の光路上に前記第２撮像手段と前記測光手段とが配置され、
第１反射部材の反射面と第３反射部材の反射面の光量配分において反射率が以下の条件式（４’）、（５’）を満足することを特徴とする（４）に記載のカメラ。
８０％  ≦  第１反射部材の反射面  ≦９０％                  ・・・（４’）
４０％  ≦  第３反射部材の反射面  ≦６０％                  ・・・（５’）
【０１０２】
（９）  前記一次結像面形成手段の近傍に集光作用を持つ面又はマット面の少なくとも一方を、前記1次結像面と平行となるように配置したことを特徴とする請求項１乃至３又（１）乃至（８）のいずれか１項に記載のカメラ。
【０１０３】
（１０）  前記第２撮像手段は、撮像素子の有効範囲よりも狭い範囲で被写体像データを取得し、
前記像データ表示手段は、該被写体像データよりもさらに狭い範囲のデータを切り出して表示することを特徴とする請求項１乃至３又（１）乃至（９）のいずれか１項に記載のカメラ。
【０１０４】
（１１）  前記第２撮像手段の撮像素子の有効範囲は、前記一次結像面に形成された被写体像が前記第２撮像手段の撮像素子へ投影される範囲よりも広いことを特徴とする請求項１乃至３又（１）乃至（９）のいずれか１項に記載のカメラ。
【０１０５】
（１２）  前記第２撮像手段は、被写体像データを取得し、該被写体像データの複数の画素データを加算して１つの画素データとする処理を行うことを特徴とする請求項１乃至３又（１）乃至（１１）のいずれか１項に記載のカメラ。
【０１０６】
（１３）  前記第２撮像手段にローパスフィルタを用いないことを特徴とする請求項１乃至３又（１）乃至（１２）のいずれか１項に記載のカメラ。
【０１０７】
（１４）  前記第２撮像手段の撮像素子が測光手段の撮像素子も兼ねることを特徴とする請求項１乃至３又（１）乃至（１３）のいずれか１項に記載のカメラ。
【０１０８】
（１５）  前記一次結像面から近軸距離において最も遠い前記反射部材の反射面の反対側に、前記第２撮像手段を配置したことを特徴とする請求項１乃至３又（１）乃至（１４）のいずれか１項に記載のカメラ。
【０１０９】
（１６）  前記一次結像面から近軸距離において最も遠い前記反射部材が透光特性を有しており、
該反射部材を透過した光束の光路上に前記第２撮像手段が配置されていることを特徴とする請求項１乃至３又（１）乃至（１５）のいずれか１項に記載のカメラ。
【０１１０】
（１７）  前記一次結像面から近軸距離において最も遠い前記反射部材が、前記ファインダ光学系の光路に対して進退可能な可動ミラーであり、
該可動ミラーの退避時に、前記一次結像面に形成された被写体像が前記第２撮像手段に導かれることを特徴とする請求項１乃至３、（１）乃至（４）、（６）、（９）乃至（１５）のいずれか１項に記載のカメラ。
【図面の簡単な説明】
【０１１１】
【図１】本発明の実施例１に係る電子カメラの光学部材の配置構成を示す概略構成図である。
【図２】本発明の実施例１に係る電子カメラの接眼レンズ系の構成を示す光軸に沿う断面図である。
【図３】本発明の実施例１に係る電子カメラの再結像光学系の構成を示す光軸に沿う断面図である。
【図４】本発明の実施例１に係る電子カメラの測光光学系の構成を示す光軸に沿う断面図である。
【図５】本発明の実施例２に係る電子カメラの再結像光学系の構成を示す光軸に沿う断面図である。
【図６】本発明の実施例３に係る電子カメラの再結像光学系の構成を示す光軸に沿う断面図である。
【図７】本発明の第２の構成例に係る電子カメラの被写体観察時における光学部材の配置構成を示す概略構成図である。
【図８】本発明の第２の構成例に係る電子カメラの被写体撮影時における光学部材の配置構成を示す概略構成図である。
【図９】本発明の第３の構成例に係る電子カメラの被写体観察時における光学部材の配置構成を示す概略構成図である。
【図１０】本発明の第３の構成例に係る電子カメラの被写体撮影時における光学部材の配置構成を示す概略構成図である。
【符号の説明】
【０１１２】
１                    撮影レンズ系
２                    ハーフミラー
２’                  クイックリターンミラー
２’ａ                軸
３                    第１撮像手段
４                    スクリーンマット
５1、５2              ミラー
５1’                 ハーフミラー
５3                   ハーフミラー
５3’                 クイックリターンミラー
５3’ａ               軸
６                    接眼レンズ系
６1                   正メニスカスレンズ
６2                   両凸正レンズ
７                    再結像光学系
７1                   両凸正レンズ
７2、７3              負メニスカスレンズ
７4                   正メニスカスレンズ
７1’                 正メニスカスレンズ
７2’                 両凹負レンズ
７3’                 両凸正レンズ
７1”                 正メニスカスレンズ
７2”                 正メニスカスレンズ
８                    第２撮像手段
９                    測光光学系
９1                   両凸正レンズ
１０                  測光手段
１１1、１１1’        表示用手段
１１2、１１2’        合焦表示用手段
１２                  ミラー
ＣＧ                  カバーガラス
Ｅ                    アイポイント
ＩＦ                  赤外カットフィルタ
ＩＭ1                 一次結像面
ＩＭ1ｃ               一次結像面中心に垂直な軸
ＩＭ2                 第２撮像手段の撮像素子の撮像面
ＩＭ3                 測光手段の撮像素子の撮像面
ＩＭ3ｃ               撮像面中心に垂直な軸
ＦＣ                  平行平板
Ｌ、Ｌ’、Ｌ”、Ｌ”’   被写体光束
Ｌｃ                  レンズｒ2の頂点とｒ3の頂点を結んだ軸
ＦＬＬｃ              ファインダ光学系の光軸
ＦＭＬｃ              再結像光学系の光軸
Ｓ                    絞り
Ｓｃ                  絞り中心に垂直な軸
【図１】
2007193214.tif 000003
【図２】
2007193214.tif 000004
【図３】
2007193214.tif 000005
【図４】
2007193214.tif 000006
【図５】
2007193214.tif 000007
【図６】
2007193214.tif 000008
【図７】
2007193214.tif 000009
【図８】
2007193214.tif 000010
【図９】
2007193214.tif 000011
【図１０】
2007193214.tif 000012